(57)【要約】【課題】複数の受信回路を備えた場合に、各受信回路での妨害波の発生を防ぐ。【解決手段】所定の配置状態で配置した複数の受信回路と、複数の受信回路のそれぞれに局部発振周波数信号を供給する複数の局部発振回路と、各受信回路および各局部発振回路を制御する制御部とを備える。制御部は、選局要求がある受信信号の探索時に通過する周波数と一致または近い周波数になる局部発振信号が供給される特定の受信回路がある場合に、その特定の受信回路から離れた配置位置の受信回路で、選局要求がある受信信号の探索を行う。【選択図】図３
2014179846.tif 000002
【特許請求の範囲】
【請求項１】
所定の配置状態で配置した複数の受信回路と、
前記複数の受信回路のそれぞれに局部発振信号を供給する複数の局部発振回路と、
それぞれの配置位置の受信回路での選局を制御し、選局要求がある受信信号の探索時に通過する周波数と一致または近い周波数になる局部発振信号が供給される特定の受信回路がある場合に、その特定の受信回路から離れた配置位置の受信回路で、前記選局要求がある受信信号の探索を行う制御部とを備えた
受信装置。
【請求項２】
前記制御部は、選局要求がある受信信号の探索時に通過する周波数と一致または近い周波数になる局部発振信号があるとき、選局要求がある受信信号を探索する探索アルゴリズムの変更を試み、その探索アルゴリズムの変更を行っても、一致または近い周波数になる局部発振信号が供給される特定の受信回路がある場合に、その特定の受信回路から離れた配置位置の受信回路で、前記選局要求がある受信信号の探索を行う
請求項１記載の受信装置。
【請求項３】
前記探索アルゴリズムは、探索周波数範囲の下側から探索する探索アルゴリズムと、探索周波数範囲の上側から探索する探索アルゴリズムとの、少なくとも２つの探索アルゴリズムを用意する
請求項２記載の受信装置。
【請求項４】
前記探索アルゴリズムとして、探索周波数範囲のほぼ中央から探索する探索アルゴリズムを用意する
請求項２記載の受信装置。
【請求項５】
前記制御部は、選局要求がある受信信号の探索時に通過する周波数と一致または近い周波数になる局部発振信号があるとき、選局要求がある受信信号を探索するのに使用する局部発振信号を供給する局部発振回路が備える分周器の設定を変えることを試みた後に、一致または近い周波数になる局部発振信号が供給される特定の受信回路がある場合に、その特定の受信回路から離れた配置位置の受信回路で、前記選局要求がある受信信号の探索を行う
請求項１記載の受信装置。
【請求項６】
所定の配置状態で配置した複数の受信回路と、
前記複数の受信回路のそれぞれに局部発振信号を供給する複数の局部発振回路と、
それぞれの配置位置の受信回路での選局を制御し、選局要求がある受信信号の探索時に通過する周波数と一致または近い周波数になる局部発振信号が供給される特定の受信回路がある場合に、その特定の受信回路から離れた配置位置の受信回路で、前記選局要求がある受信信号の探索を行う制御部と、
前記複数の受信回路で受信した信号を処理する処理部とを備えた
電子機器。
【発明の詳細な説明】
【技術分野】
【０００１】
本開示は、テレビジョン放送信号などの伝送信号を受信する受信装置、およびその受信装置を備えた電子機器に関する。
【背景技術】
【０００２】
近年、テレビジョン放送を受信する受信回路を有するテレビジョン受像機や録画装置として、複数の受信回路を備えたものが開発されている。例えば、複数の受信回路を備えたテレビジョン受像機は、表示画面上に複数のチャンネルの受信映像を同時に表示することができる。また、複数の受信回路を備えた録画装置は、複数のチャンネルの放送信号を同時に録画することができる。
【０００３】
図１１は、従来の複数の受信回路を備えた装置の例を示す図である。
アンテナ１で受信した信号が、第１チューナ部２と第２チューナ部３に供給される。第１，第２チューナ部２，３は、それぞれ個別に受信回路２ａ，３ａを備え、それぞれの受信回路２ａ，３ａが、特定のチャンネル（周波数）の放送信号を受信する。それぞれの受信回路２ａ，３ａが受信するチャンネルは、例えば装置内の図示しない制御部からの指示で決まる。
【０００４】
各受信回路２ａ，３ａは、放送信号を変換したベースバンド信号または中間周波信号を得る。このようなベースバンド信号または中間周波信号を得るために、受信回路２ａ，３ａ内のミキサ（不図示）で受信信号に混合するための周波数信号（局発周波数信号）が必要になる。このミキサで受信信号に混合される局発周波数信号は、それぞれのチューナ部２，３に内蔵された局部発振回路２ｃ，３ｃで得られる。
【０００５】
そして、それぞれの受信回路２ａ，３ａは、ベースバンド信号または中間周波信号の復調処理を行う。この復調処理で得られた映像信号および音声信号が、受信回路２ａ，３ａの出力端子２ｂ，３ｂに得られる。
特許文献１には、複数の受信回路を備えたシステムにおいて、使用しない受信回路の動作を停止させて、妨害波の発生を防ぐ技術についての記載がある。
【先行技術文献】
【特許文献】
【０００６】
【特許文献１】特開２００９−１８８５１５号公報
【発明の概要】
【発明が解決しようとする課題】
【０００７】
ところで、図１１に示すように複数のチューナ部２，３を備えた場合、一方のチューナ部２または３で受信に使用する局発周波数信号が、他方のチューナ部３または２での受信に妨害を与える可能性がある。図１１は、２つのチューナ部２，３を備えた場合の例であるが、３つ以上のチューナ部を備えた場合には、より妨害を与える可能性が高くなる。
特に、近年はチューナ部を搭載した電子機器の小型化が進んでおり、またチューナ部２，３そのものも集積回路化などで小型化が進んでいる。したがって、電子機器は、図１１に示すような複数のチューナ部２，３が物理的に非常に近接して配置されることが多く、他のチューナ部の不要輻射が受信性能を悪化させる懸念が高くなっている。
【０００８】
本開示の目的は、複数の受信回路を備えた場合に、各受信回路での妨害波の発生を防ぐことができる受信装置および電子機器を提供することにある。
【課題を解決するための手段】
【０００９】
本開示の受信装置は、所定の配置状態で配置した複数の受信回路と、複数の受信回路のそれぞれに局部発振周波数信号を供給する複数の局部発振回路と、各受信回路および各局部発振回路を制御する制御部とを備える。
制御部は、選局要求がある受信信号の探索時に通過する周波数と一致または近い周波数になる局部発振信号が供給される特定の受信回路がある場合に、その特定の受信回路から離れた配置位置の受信回路で、選局要求がある受信信号の探索を行う。
【００１０】
本開示の電子機器は、所定の配置状態で配置した複数の受信回路と、複数の受信回路のそれぞれに局部発振信号を供給する複数の局部発振回路と、各受信回路および各局部発振回路を制御する制御部と、受信信号の処理部とを備える。
制御部は、選局要求がある受信信号の探索時に通過する周波数と一致または近い周波数になる局部発振信号が供給される特定の受信回路がある場合に、その特定の受信回路から離れた配置位置の受信回路で、選局要求がある受信信号の探索を行う。
【００１１】
本開示によると、特定の受信回路から離れた配置位置の受信回路で、選局要求がある受信信号の探索を行うため、特定の受信回路での受信処理時に、受信信号の探索が妨害を与える可能性を最小限に抑えることができる。
【発明の効果】
【００１２】
本開示によると、複数の受信回路で同時に受信処理を行う場合に、受信信号の探索が妨害を与える可能性を最小限に抑えることができるようになる。
【図面の簡単な説明】
【００１３】
【図１】本開示の一実施の形態による構成例を示すブロック図である。
【図２】本開示の一実施の形態の受信回路の例を示すブロック図である。
【図３】本開示の一実施の形態によるチューナ部の選択処理例（例１）を示すフローチャートである。
【図４】本開示の一実施の形態によるチューナ部の選択処理例（例２）を示すフローチャートである。
【図５】本開示の一実施の形態による探索アルゴリズム１の例を示すフローチャートである。
【図６】本開示の一実施の形態による探索アルゴリズム１の処理例を示す特性図である。
【図７】本開示の一実施の形態による探索アルゴリズム２の例を示すフローチャートである。
【図８】本開示の一実施の形態による探索アルゴリズム２の処理例を示す特性図である。
【図９】本開示の一実施の形態による探索アルゴリズム３の例を示すフローチャートである。
【図１０】本開示の一実施の形態による探索アルゴリズム３の処理例を示す特性図である。
【図１１】従来の受信装置の例を示す回路図である。
【発明を実施するための形態】
【００１４】
本開示の実施の形態に係る受信装置および電子機器の例を、図面を参照しながら、以下の順で説明する。
１．受信装置の構成例（図１〜図２）
２．チューナ部の選択処理例（例１：図３）
３．チューナ部の選択処理例（例２：図４）
４．探索アルゴリズムの各例（図５〜図１０）
５．変形例
【００１５】
［１．受信装置の構成例］
図１は、本開示の一実施の形態の例に係る受信装置の構成例を示す図である。
本開示の受信装置は、テレビジョン放送信号を受信する装置であり、複数（この例では８個）のチューナ部１０，２０，３０，４０，５０，６０，７０，８０を備える。アンテナ９４で受信した信号が、これらのチューナ部１０〜８０に供給される。
各チューナ部１０〜８０は、所定の配列で基板上などに配置する。図１の例では、８個のチューナ部１０〜８０が、横方向に４個ずつ並べると共に縦方向に２列配置した例を示すが、この配置は一例であり、その他の配列でもよい。例えば、８個のチューナ部１０〜８０を一列に配置してもよい。
【００１６】
それぞれのチューナ部１０〜８０は、それぞれ個別に受信回路１１，２１，３１，４１，５１，６１，７１，８１を備え、それぞれの受信回路１１〜８１が、特定のチャンネル（周波数）の伝送信号（放送信号）を受信する。各受信回路１１〜８１が受信する周波数は、各チューナ部１０〜８０が備える局部発振回路１２，２２，３２，４２，５２，６２，７２，８２から供給される局部発振信号により設定される。各受信回路１１〜８１が受信する周波数は、制御部９１からの指示で決まる。各局部発振回路１２〜８２での局部発振信号の生成状態についても、制御部９１からの指示で決まる。制御部９１は、バスライン９９を介して各チューナ部１０〜８０と通信が可能である。
【００１７】
制御部９１は、例えば操作部９３から特定のチャンネルの選局指示が届いたとき、チューナ部１０〜８０の中の特定の１つのチューナ部（例えば第１チューナ部１０）に、該当するチャンネルの受信指示を行う。このとき、制御部９１が、メモリ９２に記憶された複数の探索アルゴリズムの中から選択した１つの探索アルゴリズムで、受信チャンネルが伝送される周波数を探索する。なお、複数の探索アルゴリズムの詳細については後述する。
【００１８】
各受信回路１１〜８１は、受信処理により、放送信号を周波数変換したベースバンド信号または中間周波信号を取得する。そして、それぞれの受信回路１１〜８１に接続された復調回路１３，２３，３３，４３，５３．６３，７３，８３が、ベースバンド信号または中間周波信号の復調処理を行う。この復調回路１３〜８３での復調処理で得られた映像信号および音声信号が、各チューナ部１０〜８０からテレビジョン信号処理部９５に供給される。
【００１９】
テレビジョン信号処理部９５で処理された映像信号や音声信号は、録画部９６に供給され録画される。また、テレビジョン信号処理部９５で処理された映像信号は、表示部９７に供給され表示される。例えば録画部９６が８つの異なるチャンネルを同時に録画する場合には、制御部９１からの指示で、８つのチューナ部１０〜８０がそれぞれ指示されたチャンネルの受信動作を行う。同時に受信するチャンネル数に応じて、制御部９１は、受信動作を行う必要のないチューナ部（チューナ部１０〜８０のいずれか）の受信動作を停止させる。
８つのチューナ部１０〜８０は、それぞれ個別に集積回路化され、所定の配列で回路基板上に配置される。あるいは、８つのチューナ部１０〜８０が、１つの集積回路になるようにしてもよい。本実施の形態の例では、８つのチューナ部１０〜８０が受信する周波数帯は全て同じである。
なお、図１の例では、各チューナ部１０〜８０が受信信号の復調処理を行うようにしたが、各チューナ部１０〜８０は、復調処理を行わない構成でもよい。すなわち、各チューナ部１０〜８０がベースバンド信号または中間周波信号を出力して、チューナ部１０〜８０の後段に接続される処理部が、復調処理を行うようにしてもよい。
【００２０】
図２は、第１チューナ部１０の構成の例を示す図である。第２チューナ部２０〜第８チューナ部８０についても、第１チューナ部１０と同じ構成である。
受信回路１１は、入力端子１０ａに得られる伝送信号である高周波信号を増幅する増幅回路１１ａと、増幅回路１１ａが増幅した高周波信号の帯域制限を行うフィルタ１１ｂと、フィルタ１１ｂの出力が供給されるミキサ１１ｃを備える。ミキサ１１ｃは、フィルタ１１ｂから供給される高周波信号に、局部発振回路１２から供給される局部発振信号を混合して、ベースバンド信号または中間周波信号に変換する。ミキサ１１ｃが変換したベースバンド信号または中間周波信号は、増幅回路１１ｄを介して復調回路１３に供給される。
【００２１】
局部発振回路１２は、電圧制御発振器１２ａと、この電圧制御発振器１２ａが出力する発振信号を増幅する増幅回路１２ｂと、増幅回路１２ｂが出力する発振信号を分周する分周器１２ｃとを備える。電圧制御発振器１２ａが出力する発振信号の周波数と、分周器１２ｃが分周する分周比は、制御部９１（図１）の制御下で設定される。なお、電圧制御発振器１２ａや分周器１２ｃは、ＰＬＬ（Phase Locked Loop）を形成する回路の一部であり、発振周波数が安定化するフィードバック制御を行っている。なお、ＰＬＬの構成は周知のものであるため、図２ではＰＬＬの構成は省略している。
【００２２】
復調回路１３は、供給されるベースバンド信号または中間周波信号の復調処理を行う。復調回路１３が復調した映像信号や音声信号が、出力端子１０ｂから後段の処理部（図１のテレビジョン信号処理部９５）に供給される。上述したように第１チューナ部１０が復調回路１３を備えるのは１つの例であり、チューナ部が復調回路を備えない構成でもよい。
【００２３】
［２．チューナ部の選択処理例：例１］
次に、制御部９１が各チューナ部１０〜８０に受信指示を行う場合の、受信を行うチューナ部の選択処理例を説明する。本開示の実施の形態では、例１と例２の２つの選択処理例を説明する。なお、以下に説明する例１，例２のいずれの場合でも、それぞれの処理を行うのは、放送信号を受信していない未使用のチューナ部が、２つ以上存在する場合である。未使用のチューナ部が１つだけである場合には、制御部９１は、図３や図４のフローチャートの処理を行うことなく、未使用の１つのチューナ部を、受信を行うチューナ部に決定する。
【００２４】
まず、図３のフローチャートを参照して、受信を行うチューナ部の選択処理例［例１］を説明する。
最初に制御部９１は、用意された８つのチューナ部１０〜８０の内の、信号を受信中のチューナ部１０〜８０の局部発振回路１２〜８２が生成する局部発振信号の周波数情報Ｘ（ｉ）を全て取得する（ステップＳ１０１）。このとき制御部９１が判断する局部発振信号の周波数情報Ｘ（ｉ）には、各局部発振回路１２〜８２が備える電圧制御発振器の発振周波数の情報および分周器の分周比の情報が含まれる。
【００２５】
そして制御部９１は、現在選局要求があるチャンネルの放送信号を探索する際の、探索周波数範囲（下限周波数と上限周波数）を決め、その周波数範囲を探索する際の電圧制御発振器の発振周波数の可変範囲と、分周器の分周比を決める。その上で、制御部９１は、選局要求があるチャンネルを受信するための発振周波数の可変範囲の設定と、現在受信中の各チューナ部の電圧制御発振器の発振周波数とを比較し、一致または近い周波数になるものがあるか否かを判断する（ステップＳ１０２）。
【００２６】
ステップＳ１０２の判断で、選局要求があるチャンネルを受信するための発振周波数の可変範囲が、現在受信中の各チューナ部の電圧制御発振器の発振周波数に一致または近い周波数になると判断したとき、制御部９１はステップＳ１０３の処理に移る。
ステップＳ１０３の処理では、制御部９１は、未使用のチューナ部の中で、発振周波数が一致または近い周波数になると判断した受信中のチューナ部から最も遠い位置に配置されたチューナ部を、選局要求があるチャンネルを受信するチューナ部に選択する。例えば、選局要求があるチャンネルを探索する際に、第１チューナ部１０での発振周波数と一致する可能性があると判断し、第２チューナ部２０と第８チューナ部８０とが未使用であるとする。このとき、第２チューナ部２０は、第１チューナ部１０に隣接しており、第８チューナ部８０は、第１チューナ部１０から離れており、制御部９１は、第８チューナ部８０を受信チューナに選択する。
【００２７】
また、ステップＳ１０２の判断で、選局要求があるチャンネルを受信するための発振周波数の可変範囲が、現在受信中の各チューナ部の電圧制御発振器の発振周波数と一致または近い周波数でないと判断したとき、制御部９１はステップＳ１０４の処理に移る。
ステップＳ１０４の処理では、制御部９１は、未使用のチューナ部の中で、任意に選択したチューナ部を、選局要求があるチャンネルを受信するチューナ部に選択する。
【００２８】
そして、制御部９１は、設定された探索周波数範囲のチューナ部での探索を開始し、その探索で目的とするチャンネルの放送信号が受信できたとき、そのときの受信周波数での受信を行い、制御部９１での制御による選局が完了する。
【００２９】
［３．チューナ部の選択処理例：例２］
次に、図４のフローチャートを参照して、受信を行うチューナ部の選択処理例［例２］を説明する。この例２の選択処理例は、現在選局要求があるチャンネルの放送信号を探索する際の、探索アルゴリズムが複数存在する場合の例である。複数の探索アルゴリズムの具体例については後述するが、例えば探索範囲内を下限から探索する探索アルゴリズムや、上限から探索アルゴリズムなどがあり、同一の周波数を受信する場合でも探索アルゴズムごとに探索範囲が異なる。
【００３０】
最初に制御部９１は、用意された８つのチューナ部１０〜８０の内の、信号を受信中のチューナ部１０〜８０の局部発振回路１２〜８２が生成する局部発振信号の周波数情報Ｘ（ｉ）を全て取得する（ステップＳ１１１）。
【００３１】
そして制御部９１は、現在選局要求があるチャンネルの放送信号を探索する際の、現在の探索アルゴリズムでの探索周波数範囲を決め、その周波数範囲を探索する際の電圧制御発振器の発振周波数の可変範囲と、分周器の分周比を決める。その上で、制御部９１は、選局要求があるチャンネルを受信するための発振周波数の可変範囲の設定と、現在受信中の各チューナ部の電圧制御発振器の発振周波数とを比較し、一致または近い周波数になるものがあるか否かを判断する（ステップＳ１１２）。
【００３２】
ステップＳ１１２の判断で、選局要求があるチャンネルを受信するための発振周波数の可変範囲が、現在受信中の各チューナ部の電圧制御発振器の発振周波数に一致または近い周波数になると判断したとき、制御部９１はステップＳ１１３の判断処理に移る。
ステップＳ１１３では、制御部９１は、探索アルゴリズムが別の探索アルゴリズムに変更可能か否かを判断する。この判断で、別の探索アルゴリズムに変更が可能であると判断したときには、制御部９１は、選局要求があるチャンネルを探索するアルゴリズムを、別の探索アルゴリズムに変更する（ステップＳ１１４）。そして、ステップＳ１１４の変更を行った後、制御部９１は、ステップＳ１１２の判断処理に戻る。
【００３３】
そして、ステップＳ１１３の判断で、別の探索アルゴリズムにこれ以上変更できないと判断した場合、制御部９１は、ステップＳ１１５の処理に移る。
このステップＳ１１５の処理では、未使用のチューナ部の中で、発振周波数が一致または近い周波数になると判断した受信中のチューナ部から最も遠い位置に配置されたチューナ部を、選局要求があるチャンネルを受信するチューナ部に選択する。
【００３４】
また、ステップＳ１１２の判断で、選局要求があるチャンネルを受信するための発振周波数の可変範囲が、現在受信中の各チューナ部の電圧制御発振器の発振周波数と一致または近い周波数でないと判断したとき、制御部９１はステップＳ１１６の処理に移る。
ステップＳ１１６の処理では、制御部９１は、未使用のチューナ部の中で、任意に選択したチューナ部を、選局要求があるチャンネルを受信するチューナ部に選択する。
【００３５】
そして、制御部９１は、ステップＳ１１５またはＳ１１６で選択されたチューナ部での探索を開始し、その探索で目的とするチャンネルの放送信号が受信できたとき、そのときの受信周波数での受信を行い、制御部９１での制御による選局が完了する。
【００３６】
なお、ステップＳ１１４では探索アルゴリズムを変更するようにしたが、制御部９１は、探索アルゴリズムの変更を行う代わりに、分周器の分周比を変更して、電圧制御発振器の発振周波数の可変範囲を変更するようにしてもよい。
【００３７】
［４．探索アルゴリズムの各例］
次に、上述した例２のチューナ部の選択処理例で説明した、複数の探索アルゴリズムの具体例を、図５〜図１０を参照して説明する。
ここでは、探索アルゴリズム１〜探索アルゴリズム３の３つの探索アルゴリズムについて説明する。この３つの探索アルゴリズムを実行するプログラムは、例えばメモリ９２に記憶される。そして制御部９１が、３つの探索アルゴリズムの中のいずれか１つの探索アルゴリズムを最初に設定し、図４のフローチャートのステップＳ１１４で、別の探索アルゴリズムに変更する処理が行われる。
以下の探索アルゴリズム１〜３の説明では、第１チューナ部１０で受信する場合とする。
【００３８】
＜探索アルゴリズム１＞
図５は、探索アルゴリズム１を示すフローチャートである。図６は、探索アルゴリズム１を実行したときの受信周波数の変化例を示す図である。
探索アルゴリズム１は、探索範囲の下限から線形探索を行うものである。すなわち、図５に示すように、探索アルゴリズム１を実行する際には、制御部９１は、まず、目的とするチャンネルの伝送周波数を探索する際の探索範囲を決め、その探索範囲の下限周波数ｆ１１を、最初に探索する周波数ｆｘに設定する（ステップＳ１１）。そして、その下限周波数ｆ１１を受信するように、制御部９１がチューナ部１０に受信周波数をセットする（ステップＳ１２）。このとき、局部発振回路１２が生成する局部発振信号が、下限周波数ｆ１１に対応した周波数になるように、制御部９１が局部発振回路１２に指示を送る。
【００３９】
そして、制御部９１は、その受信処理で目的とするチャンネルの放送信号が受信できたか否かを判断する（ステップＳ１３）。この判断で、目的とするチャンネルの放送信号が受信できた場合には、その周波数での受信を継続して行い、探索処理を終了する。
【００４０】
ステップＳ１３の判断で、目的とするチャンネルの放送信号が受信できない場合には、制御部９１が、チューナ部１０で探索する周波数ｆｘを、現在の探索周波数ｆ１１から１ステップ上の周波数ｆ１２にシフトさせる（ステップＳ１４）。そして、その探索周波数ｆ１２を受信するように、制御部９１がチューナ部１０に受信周波数をセットする（ステップＳ１２）。
以下、チューナ部１０で目的とするチャンネルの放送信号が受信できるまで、制御部９１は、ステップＳ１２，Ｓ１３，Ｓ１４の処理を繰り返し実行する。なお、図５のステップＳ１４は、周波数ｆ１１から周波数ｆ１２への探索周波数の変化を示すが、このステップＳ１４は処理が繰り返されるごとに、設定される周波数がｆ１２，ｆ１３，・・・と１ステップずつ上に変化していく。
【００４１】
図６は、この探索アルゴリズム１を制御部９１が実行したときの、チューナ部１０での受信周波数の変化例である。図６に示すように、チューナ部１０の受信周波数が、最初に探索範囲の下限周波数ｆ１１になり、その後、１ステップ上の周波数ｆ１２になり、以下、同じ周波数間隔で徐々に高くなる。そして、制御部９１は、受信周波数ｆａで目的とするチャンネルの放送信号がチューナ部１０で受信できたとき、チューナ部１０の受信周波数を周波数ｆａに固定して、探索処理を終了する。
【００４２】
＜探索アルゴリズム２＞
図７は、探索アルゴリズム２を示すフローチャートである。図８は、探索アルゴリズム２を実行したときの受信周波数の変化例を示す図である。
探索アルゴリズム２は、探索範囲の上限から線形探索を行うものである。すなわち、図７に示すように、探索アルゴリズム２を実行する際には、制御部９１は、まず、目的とするチャンネルの伝送周波数を探索する際の探索範囲を決め、その探索範囲の上限周波数ｆ２１を、最初に探索する周波数ｆｘに設定する（ステップＳ２１）。そして、その上限周波数ｆ２１を受信するように、制御部９１がチューナ部１０に受信周波数をセットする（ステップＳ２２）。このときには、局部発振回路１２が生成する局部発振信号が、上限周波数ｆ２１に対応した周波数になるように、制御部９１が局部発振回路１２に指示を送る。
【００４３】
そして、制御部９１は、その受信処理で目的とするチャンネルの放送信号が受信できたか否かを判断する（ステップＳ２３）。この判断で、目的とするチャンネルの放送信号が受信できた場合には、その周波数での受信を継続して行い、探索処理を終了する。
【００４４】
ステップＳ２３の判断で、目的とするチャンネルの放送信号が受信できない場合には、制御部９１が、チューナ部１０で探索する周波数ｆｘを、現在の探索周波数ｆ２１から１ステップ下の周波数ｆ２２にシフトさせる（ステップＳ２４）。そして、その探索周波数ｆ２２を受信するように、制御部９１がチューナ部１０に受信周波数をセットする（ステップＳ２２）。
以下、チューナ部１０で目的とするチャンネルの放送信号が受信できるまで、制御部９１は、ステップＳ２２，Ｓ２３，Ｓ２４の処理を繰り返し実行する。なお、図７のステップＳ２４は、周波数ｆ２１から周波数ｆ２２への探索周波数の変化を示すが、このステップＳ２４は処理が繰り返されるごとに、設定される周波数がｆ２２，ｆ２３，・・・と１ステップずつ下に変化していく。
【００４５】
図８は、この探索アルゴリズム２を制御部９１が実行したときの、チューナ部１０での受信周波数の変化例である。図８に示すように、チューナ部１０の受信周波数が、最初に探索範囲の上限周波数ｆ２１になり、その後、１ステップ下の周波数ｆ２２になり、以下、同じ周波数間隔で徐々に低くなる。そして、制御部９１は、受信周波数ｆａで目的とするチャンネルの放送信号がチューナ部１０で受信できたとき、チューナ部１０の受信周波数を周波数ｆａに固定して、探索処理を終了する。
【００４６】
＜探索アルゴリズム３＞
図９は、探索アルゴリズム３を示すフローチャートである。図１０は、探索アルゴリズム２を実行したときの受信周波数の変化例を示す図である。
探索アルゴリズム３は、探索範囲のほぼ中央から二分探索（バイナリサーチ）を行うものである。すなわち、図９に示すように、探索アルゴリズム３を実行する際には、制御部９１は、まず、目的とするチャンネルの伝送周波数を探索する際の探索範囲を決める。そして、その探索範囲の上限周波数と下限周波数との中央の周波数ｆ３１を、最初に探索する周波数ｆｘに設定する（ステップＳ３１）。探索範囲の中央の周波数ｆ３１は、（上限周波数Ａｘ−下限周波数Ｂｘ）÷２で算出される。
【００４７】
そして、その上限周波数ｆ３１を受信するように、制御部９１がチューナ部１０に受信周波数をセットする（ステップＳ３２）。このときには、局部発振回路１２が生成する局部発振信号が、上限周波数ｆ３１に対応した周波数になるように、制御部９１が局部発振回路１２に指示を送る。
【００４８】
そして、制御部９１は、その受信処理で目的とするチャンネルの放送信号が受信できたか否かを判断する（ステップＳ３３）。この判断で、目的とするチャンネルの放送信号が受信できた場合には、その周波数での受信を継続して行い、探索処理を終了する。
【００４９】
ステップＳ３３の判断で、目的とするチャンネルの放送信号が受信できない場合、制御部９１は、探索する周波数ｆａが、現在の探索周波数ｆ３１の上側と下側のいずれである可能性が高いかの判断を行う（ステップＳ３４）。この判断で、上側と判断したとき、制御部９１は、次に探索する周波数ｆ３２を、現在の探索周波数ｆ３１と上限周波数Ａｘとの中央に設定する（ステップＳ３５）。このときの探索周波数ｆ３２は、（上限周波数Ａｘ−探索周波数ｆ３１）÷２で算出される。
【００５０】
また、ステップＳ３４の判断で、下側と判断したとき、制御部９１は、次に探索する周波数ｆ３２を、現在の探索周波数ｆ３１と下限周波数Ｂｘとの中央に設定する（ステップＳ３６）。このときの探索周波数ｆ３２は、（探索周波数ｆ３１−下限周波数Ｂｘ）÷２で算出される。
【００５１】
そして、ステップＳ３２に戻り、ステップＳ３５またはステップＳ３６で設定した受信周波数ｆ３２を受信するように、制御部９１がチューナ部１０に受信周波数をセットする。
以下、チューナ部１０で目的とするチャンネルの放送信号が受信できるまで、制御部９１は、ステップＳ３２〜Ｓ３６の処理を繰り返し実行し、徐々に目的とする受信周波数に近づける制御を行う。なお、図７のステップＳ３５，Ｓ３６は、周波数ｆ３１から周波数ｆ３２への探索周波数の変化を示すが、このステップＳ３５，Ｓ３６は処理が繰り返されるごとに、設定される周波数がｆ３２，ｆ３３，・・・と順に目的とする周波数に近づくように変化していく。
【００５２】
図１０は、この探索アルゴリズム３を制御部９１が実行したときの、チューナ部１０での受信周波数の変化例である。この図１０の例は、チューナ部１０の受信周波数が、最初に探索範囲の中央の周波数ｆ３１になった後、ステップＳ３４で、探索周波数ｆａが中央より上側であると判断された例である。この例では、受信周波数がｆ３１，ｆ３２，ｆ３３と変化して、チャンネルの放送信号が伝送される周波数ｆａに近づいていき、最終的に周波数ｆａとなり、探索処理を終了する。
【００５３】
なお、ここまで説明した３つの探索アルゴリズム以外の探索アルゴリズムを用意して、選局時に制御部９１が探索を試みるようにしてもよい。
【００５４】
以上説明したように、本開示の例によると、探索時に受信中のチューナ部とほぼ同じ発振周波数になるのを避けることができない場合に、該当する受信中のチューナ部から最も遠い位置に配置したチューナ部が受信を行うようになる。したがって、探索時に複数のチューナ部がほぼ同じ発振周波数を使用する場合でも、その複数のチューナ部の間にある程度の距離が生じ、２つのチューナ部の発振周波数が同じであることによる不具合の発生を極力防止することができる。すなわち、局発周波数信号が２つのチューナ部で同一または近い周波数であるとき、２つのチューナ部が相互に妨害を与える可能性があるが、２つのチューナ部の距離があるために、妨害を与えるレベルが小さくなり、妨害を与えることが極力阻止される。
また、図４のフローチャートで説明した例２の場合には、探索アルゴリズムの変更で、２つのチューナ部の発振周波数が同一または近い周波数になるのを回避できる場合には、その回避処理を優先して行うようにした。したがって、例２の場合には、妨害を与える状況の発生がより少なくなる効果を有する。
【００５５】
［５．変形例］
図１に示すチューナ部の配置数は一例を示すものであり、その他の数のチューナ部を配置してもよい。また、図３〜図１０で説明した探索アルゴリズムの例についても好適な例を示したものであり、その他の探索アルゴリズムを用意して、探索アルゴリズムを選択する際の候補としてもよい。
【００５６】
また、図１に示す例では、それぞれのチューナ部１０〜８０は、１個のアンテナ９４で受信した信号が供給されるチューナ部とした。これに対して、例えばそれぞれのチューナ部が、地上波放送信号を受信するチューナと、衛星放送信号を受信するチューナの双方を兼ねるようにして、複数のアンテナが接続されるようにしてもよい。あるいは、複数のチューナ部の内の第１の群のチューナ部が地上波放送信号を受信するチューナ部になり、第２の群のチューナ部が衛星放送信号を受信するチューナ部になるようにしてもよい。
【００５７】
また、図３や図４のフローチャートに示すチューナ部の選択処理例では、制御部９１は、探索時の電圧制御発振器の発振周波数が、他のチューナ部が備える局部発振回路内の電圧制御発振器の発振周波数と同一または近い周波数か否かを判断するようにした。これに対して、制御部は、探索時にチューナ部に供給される局部発振信号そのものの周波数が、他のチューナ部の受信回路に供給される局部発振信号の周波数と同一または近い周波数か否かを判断して、その判断に基づいて探索アルゴリズムを選択するようにしてもよい。
【００５８】
また、図１に示す例では、テレビジョン放送信号を受信するチューナ部の制御に適用した。これに対して、その他の無線伝送信号や有線伝送信号を受信する複数のチューナ部を備えた各種受信装置に、本開示の処理を適用するようにしてもよい。
【００５９】
なお、本開示は以下のような構成も取ることができる。
（１）
所定の配置状態で配置した複数の受信回路と、
前記複数の受信回路のそれぞれに局部発振信号を供給する複数の局部発振回路と、
それぞれの配置位置の受信回路での選局を制御し、選局要求がある受信信号の探索時に通過する周波数と一致または近い周波数になる局部発振信号が供給される特定の受信回路がある場合に、その特定の受信回路から離れた配置位置の受信回路で、前記選局要求がある受信信号の探索を実行させる制御部とを備えた
受信装置。
（２）
前記制御部は、選局要求がある受信信号の探索時に通過する周波数と一致または近い周波数になる局部発振信号があるとき、選局要求がある受信信号を探索する探索アルゴリズムの変更を試み、その探索アルゴリズムの変更を行っても、一致または近い周波数になる局部発振信号が供給される特定の受信回路がある場合に、その特定の受信回路から離れた配置位置の受信回路で、前記選局要求がある受信信号の探索を行う
前記（１）記載の受信装置。
（３）
前記探索アルゴリズムは、探索周波数範囲の下側から探索する探索アルゴリズムと、探索周波数範囲の上側から探索する探索アルゴリズムとの、少なくとも２つの探索アルゴリズムを用意する
前記（２）記載の受信装置。
（４）
前記探索アルゴリズムとして、探索周波数範囲のほぼ中央から探索する探索アルゴリズムを用意する
前記（２）または（３）記載の受信装置。
（５）
前記制御部は、選局要求がある受信信号の探索時に通過する周波数と一致または近い周波数になる局部発振信号があるとき、選局要求がある受信信号を探索するのに使用する局部発振信号を供給する局部発振回路が備える分周器の設定を変えることを試みた後に、一致または近い周波数になる局部発振信号が供給される特定の受信回路がある場合に、その特定の受信回路から離れた配置位置の受信回路で、前記選局要求がある受信信号の探索を実行させる
前記（１）〜（４）のいずれか１項に記載の受信装置。
（６）
所定の配置状態で配置した複数の受信回路と、
前記複数の受信回路のそれぞれに局部発振信号を供給する複数の局部発振回路と、
それぞれの配置位置の受信回路での選局を制御し、選局要求がある受信信号の探索時に通過する周波数と一致または近い周波数になる局部発振信号が供給される特定の受信回路がある場合に、その特定の受信回路から離れた配置位置の受信回路で、前記選局要求がある受信信号の探索を実行させる制御部と、
前記複数の受信回路で受信した信号を処理する処理部とを備えた
電子機器。
【００６０】
さらに、本発明の請求項に記載した構成や処理は、上述した実施の形態の例に限定されるものではない。本発明の要旨を逸脱しない限り、種々の改変、組み合わせ、他の実施の形態例が生じうることは、当業者にとって当然のことと理解される。
【符号の説明】
【００６１】
１０〜８０…チューナ部、１１〜８１…受信回路、１２〜８２…局部発振回路、１１ｃ…ミキサ、１２ａ…電圧制御発振器、１２ｃ…分周器、１３〜８３…復調回路、９１…制御部、９２…メモリ、９３…操作部、９４…アンテナ、９５…テレビジョン信号処理部、９６…録画部、９７…表示部、９９…バスライン
【図１】
2014179846.tif 000003
【図２】
2014179846.tif 000004
【図３】
2014179846.tif 000005
【図４】
2014179846.tif 000006
【図５】
2014179846.tif 000007
【図６】
2014179846.tif 000008
【図７】
2014179846.tif 000009
【図８】
2014179846.tif 000010
【図９】
2014179846.tif 000011
【図１０】
2014179846.tif 000012
【図１１】
2014179846.tif 000013